(57)【要約】【課題】ブレードカバーを本体に対して操作性良く容易に係脱することができる手持ち式刈込機を提供すること。【解決手段】本体２の底部にブレードと該ブレードの一部を覆うスライド可能なブレードカバー１７を備えた手持ち式刈込機において、前記本体２底部に係止凹部２ｃと該係止凹部２ｃに連なる溝部２ｄを形成し、前記ブレードカバー１７のスライド方向一端にラッチ部１７ｂと軸部１７ｃを形成し、前記ラッチ部１７ｂを本体２側の前記係止凹部２ｃに係合させるとともに、前記軸部１７ｃを本体２側の前記溝部２ｄに係合させる。又、前記本体２側の溝部２ｄに傾斜部２ｄ１と凸部２ｄ２及び平坦部２ｄ３を形成する。【選択図】図６
2008173047.tif 000002
【特許請求の範囲】
【請求項１】
本体底部にブレードと該ブレードの一部を覆うスライド可能なブレードカバーを備えた手持ち式刈込機において、
前記本体底部に係止凹部と該係止凹部に連なる溝部を形成し、前記ブレードカバーのスライド方向一端にラッチ部と軸部を形成し、前記ラッチ部を本体側の前記係止凹部に係合させるとともに、前記軸部を本体側の前記溝部に係合させたことを特徴とする手持ち式刈込機。
【請求項２】
前記本体側の溝部に傾斜部と凸部及び平坦部を形成したことを特徴とする請求項１記載の手持ち式刈込機。
【請求項３】
前記ブレードカバーの左右両端に、前記本体に形成された係合凸部に選択的に係合して該ブレードカバーを本体に固定する係合部を形成したことを特徴とする請求項１又は２記載の手持ち式刈込機。
【請求項４】
前記ブレードカバーが本体に対してスライドして該ブレードカバー側の前記軸部が本体側の前記溝部の凸部を通過するまでは本体側の前記係合凸部とブレードカバー側の前記係合部とが係合してブレードカバーの本体への固定が維持され、ブレードカバー側の前記軸部が本体側の前記溝部の凸部を通過すると本体側の前記係合凸部とブレードカバー側の前記係合部との係合が外れてブレードカバーの本体への固定が解除されることを特徴とする請求項３記載の手持ち式刈込機。
【請求項５】
前記本体底部に、前記ブレードの一端部を保持する保持部を形成したことを特徴とする請求項１〜４の何れかに記載の手持ち式刈込機。
【発明の詳細な説明】
【技術分野】
【０００１】
本発明は、芝等の刈り込みに使用される手持ち式刈込機に関するものである。
【背景技術】
【０００２】
この種の手持ち式刈込機は、本体底部にブレードを備え、本体に内蔵されたモータの回転を偏心カムによって前記ブレードの水平揺動運動に変換して芝等の刈込作業を行うものであるが、本体底部にはブレードの一部を覆うブレードカバーが設けられており、このブレードカバーは、ブレードの交換等のメンテナンス時にブレードを本体から取り外すことができるよう本体に対して着脱可能に設けられている。
【０００３】
ここで、ブレードカバーの着脱構造の一例を図９〜図１３に基づいて説明する。
【０００４】
図９はブレードカバー固定時の本体底部の底面図、図１０は図９のＤ−Ｄ線断面図、図１１は図１０のＥ−Ｅ線断面図、図１２はブレードカバー取り外し時の本体底部の底面図、図１３は図１２のＦ−Ｆ線断面図である。
【０００５】
本体１０２の底部の幅方向中央には、図１２に示すように、矩形状の切欠き１０２ｂが形成されており、図１１及び図１３に示すように、この切欠き１０２ｂの一辺の近傍には矩形溝状の係止凹部１０２ｃが幅方向（図１１及び図１３の紙面垂直方向）に形成されている。
【０００６】
他方、不図示のブレードの一部を覆うブレードカバー１１７は、矩形プレート状に成形されており、その長手方向一端の幅方向中央には、本体側の前記切欠き１０２ｂに嵌合する舌片状の突片１１７ａが形成されており、この突片１１７ａの先端部には鍵状のラッチ部１１７ｂが形成されている。
【０００７】
又、図９及び図１０に示すように、ブレードカバー１１７の左右両端（幅方向両端）には上方に折り返された複数（図示例では各３つ）の係合部１１７ｄが長手方向（ブレードカバー１１７のスライド方向）に適当な間隔で形成されており、これら左右の係合部１１７ｄが本体１０２側の左右に長手方向に沿って適当な間隔で形成された複数（図示例では各３つ）の係合凸部１０２ｆに係合することによってブレードカバー１１７が長手方向にスライド可能に保持されている。
【０００８】
而して、通常、ブレードカバー１１７は、図９及び図１１に示すように、その一端に形成されたラッチ部１１７ｂが本体１０２側の係止凹部１０２ｃに係合するとともに、その左右両端に形成された係合部１１７ｄが本体１０２側の左右の係合凸部１０２ｆに係合することによって本体１０２の底部に固定されて不図示のブレードを覆っている。
【０００９】
そして、不図示の交換等のメンテナンのためにブレードを本体１０２から取り外す場合には、ブレードカバー１１７の突片１１７ａを図１１１の矢印Ｐ方向に押さえてラッチ部１１７ｂの本体１０２側の係止凹部１０２ｃとの係合を解除した上で、ブレードカバー１１７を図１３の矢印Ｓ方向にスライドさせて該ブレードカバー１１７側の係合部１１７ｄｄと本体１０２側の係合凸部１０２ｆとの係合を解除すれば、ブレードカバー１１７を本体１０２から取り外すことができる。
【特許文献１】特開２００６−１１５７０９号公報
【発明の開示】
【発明が解決しようとする課題】
【００１０】
しかしながら、図９〜図１３に示したブレードカバー１１７の従来の着脱構造では、ブレードカバー１１７のラッチ部１１７ｂが本体１０２側の係止凹部１０２ｃから外れた途端にブレードカバー１１７が本体１０２から抜け落ちる可能性があった。又、ブレードカバー１１７は、ラッチ部１１７ｂの本体１０２側の係止凹部１０２ｃとの係合を解除してスライドさせ、本体１０２の係止と凸部１０２ｆとブレードカバー１１７の係止部１１７ｄとの係合を解除すればそのまま本体１０２から抜けてしまうため、どの位置でブレードカバー１１７が外れたのかが分かりにくく、ブレードと共にブレードカバー１１７が落下してしまう可能性があった。
【００１１】
又、ブレードカバー１１７をスライドし過ぎると、図１３に示すように、該ブレードカバー１１７側の係合部１１７ｄが本体１０２側の係合凸部１０２ｆに図示の長さｘだけ引っ掛かってブレードカバー１１７を容易に取り外すことができないという問題があった。
【００１２】
その他、ブレードカバー１１７が本体１０２から完全に取り外されるため、取り外したブレードカバー１１７を紛失してしまう可能性もあった。
【００１３】
本発明は上記問題に鑑みてなされたもので、その目的とする処は、ブレードカバーを本体に対して操作性良く容易に係脱することができる手持ち式刈込機を提供することにある。
【課題を解決するための手段】
【００１４】
上記目的を達成するため、請求項１記載の発明は、本体底部にブレードと該ブレードの一部を覆うスライド可能なブレードカバーを備えた手持ち式刈込機において、前記本体底部に係止凹部と該係止凹部に連なる溝部を形成し、前記ブレードカバーのスライド方向一端にラッチ部と軸部を形成し、前記ラッチ部を本体側の前記係止凹部に係合させるとともに、前記軸部を本体側の前記溝部に係合させたことを特徴とする。
【００１５】
請求項２記載の発明は、請求項１記載の発明において、前記本体側の溝部に傾斜部と凸部及び平坦部を形成したことを特徴とする。
【００１６】
請求項３記載の発明は、請求項１又は２記載の発明において、前記ブレードカバーの左右両端に、前記本体に形成された係合凸部に選択的に係合して該ブレードカバーを本体に固定する係合部を形成したことを特徴とする。
【００１７】
請求項４記載の発明は、請求項３記載の発明において、前記ブレードカバーが本体に対してスライドして該ブレードカバー側の前記軸部が本体側の前記溝部の凸部を通過するまでは本体側の前記係合凸部とブレード側の前記係合部とが係合してブレードカバーの本体への固定が維持され、ブレードカバー側の前記軸部が本体側の前記溝部の凸部を通過して前記平面部に係合すると本体側の前記係合凸部とブレードカバー側の前記係合部との係合が外れてブレードカバーの本体への固定が解除されることを特徴とする。
【００１８】
請求項５記載の発明は、請求項１〜４の何れかに記載の発明において、前記本体底部に、前記ブレードの一端部を保持する保持部を形成したことを特徴とする。
【発明の効果】
【００１９】
請求項１記載の発明によれば、ブレードを本体から取り外す際には、ブレードカバーのラッチ部を押圧して該ラッチ部の本体側の係止凹部との係合を解除した後、ブレードカバーを本体に対してスライドさせれば、該ブレードカバーの軸部が本体側の溝部に沿って移動し、ブレードカバーの本体への固定を操作性良く解除することができる。そして、ブレードカバーを軸部を中心として回動させれば、該ブレードカバーが開くため、ブレードを本体から取り外して交換等のメンテナンスを行うことができる。そして、ブレードのメンテナンスが終了すると、ブレードを本体に組み込んだ後、ブレードカバーを軸を中心として回動させてこれを閉じた後、該ブレードカバーを逆方向にスライドさせると、そのラッチ部が本体側の係止凹部に係合して該ブレードカバーが本体に再び固定される。このようにしてブレードカバーを本体に対して操作性良く容易に係脱することができる。
【００２０】
又、ブレードカバーは本体から取り外されて本体と切り離されることがないため、該ブレードカバーを紛失してしまう等の不具合が発生することがない。
【００２１】
請求項２記載の発明によれば、本体側の溝部に傾斜部と凸部及び平坦部を形成したため、ブレードカバーの本体への固定を解除する際には、該ブレードカバーがスライドしてその軸部が溝部の凸部を乗り越える際のクリック感によってユーザーはブレードカバーの本体への固定解除を知ることができる。又、ブレードカバーを本体に固定する場合には、該ブレードが本体側の溝部の凸部を乗り越える際とラッチ部が本体側の係止凹部に係合する際の２段階のクリック感がユーザーに付与されるため、ユーザーはブレードカバーが本体に確実に固定されたことを知ることができる。
【００２２】
請求項３記載の発明によれば、ブレードカバーの左右両端に形成された係合部が本体側の係合凸部に係合することによって、該ブレードカバーを本体に確実に固定することができる。
【００２３】
請求項４記載の発明によれば、スライドカバーが本体に対してスライドして該ブレードカバー側の軸部が本体側の溝部の凸部を通過するまでは本体側の係合凸部とブレードカバー側の係合部とが係合してブレードカバーの本体への固定が維持され、ブレードカバー側の軸部が本体側の溝部の凸部を通過すると本体側の係合凸部とブレードカバー側の係合部との係合が外れてブレードカバーの本体への固定が解除されるよう構成したため、どの位置でブレードカバーの本体への固定が解除されたかが分かり、ユーザーは、ブレードカバーを開けてブレードを本体から取り外すタイミングを正確に知ることができる。
【００２４】
請求項５記載の発明によれば、ブレードの一端部を保持する保持部を本体底部に形成したため、ブレードカバーを開けてもブレードが突然落下するという不具合が防がれる。
【発明を実施するための最良の形態】
【００２５】
以下に本発明の実施の形態を添付図面に基づいて説明する。
【００２６】
先ず、本発明に係る手持ち式刈込機の基本構成を図１に基づいて説明する。
【００２７】
図１は本発明に係る手持ち式刈込機の側断面図であり、図示の手持ち式刈込機１は、本体２の前端（図１の右方を前方とする）下部に略水平に延びる鋸刃状の上下２枚のブレード３（上刃３ａと下刃３ｂ）を備えている。ここで、本体２は、左右に２分割された樹脂製のハウジングを複数のビスによって結合一体化して構成され、その上部には、作業者が把持するためのハンドル部２ａが形成され、ハンドル部２ａにはスイッチ４が設けられている。又、本体２の後部からは電源コード５が導出しており、該電源コード５の端部（自由端）には電源プラグ６が取り付けられている。
【００２８】
又、本体２内には、駆動源としてのモータ７が縦置き状態で収容されており、このモータ７の下方へ延出する出力軸（モータ軸）８の端部には小径のギヤ９が結着されている。更に、本体２内には、モータ７の出力軸８と平行な２本の軸１０，１１がそれぞれ垂直に立設されており、一方の軸１０には大小異径のギヤ１２ａ，１２ｂを上下２段に備える段ギヤ１２が回転可能に支承され、他方の軸１１には大径のギヤ１３が回転可能に支承されている。そして、段ギヤ１２の大径ギヤ１２ａは前記ギヤ９に噛合しており、小径ギヤ１２ｂは前記ギヤ１３に噛合している。
【００２９】
ところで、前記ギヤ１３には軸１１に対して偏心した大小異径の不図示の偏心ボスが一体に形成されており、両偏心ボスは偏心の位相が互いに１８０°ずれている。
【００３０】
他方、前記ブレード３の上刃３ａと下刃３ｂは、プレート１４上に立設されたピン１５によってその中間部が揺動可能に軸支されており、図示しないが、上刃３ａと下刃３ｂの各基端部には長孔状の大小のカム孔がそれぞれ形成されている。そして、上刃３ａに形成されたカム孔には不図示のリングを介して前記ギヤ１３の大径の偏心ボスが嵌装されている。同様に、下刃３ｂに形成されたカム孔には不図示のリングを介して前記ギヤ１３の小径の偏心ボスが嵌装されている。尚、図中、１６は本体２内へのごみ等の侵入を防ぐためのシール用パッキンである。
【００３１】
又、本体２の底部には、ブレード３の一部（基端部）を覆う略矩形プレート状のブレードカバー１７が被着されており、このブレードカバー１７の下面には、前後方向（本体２の移動方向）に長い左右一対のレール状のガイド突起１８が互いに平行に一体に突設されている。
【００３２】
次に、以上の構成を有する手持ち式刈込機１の動作について説明する。
【００３３】
本体２のハンドル部２ａに設けられたスイッチ４をＯＮして前記モータ７を起動すると、その出力軸８の回転は、ギヤ９、段ギヤ１２の大径ギヤ１２ａと小径ギヤ１２ｂを経て減速されてギヤ１３に伝達され、該ギヤ１３が所定の速度で回転駆動される。すると、ギヤ１３に一体に形成された大小異径の偏心ボスが一対に回転し、これらの偏心ボスに不図示のリングを介してカム孔に嵌合するブレード３の上刃３ａと下刃３ｂがピン１５を中心として互いに逆方向に交互に揺動するため、これらの上刃３ａと下刃３ｂによって芝等が刈り込まれる。
【００３４】
ところで、本実施の形態に係る手持ち式刈込機１においては、ブレードカバー１７は本体２に対して係脱可能であって、ブレード３の交換等のメンテナンス時には該ブレードカバー１７の本体２への固定が解除される。以下、ブレードカバー１７の係脱構造を図２〜図８に基づいて説明する。
【００３５】
図２はブレードカバーを取り外して示す本体の底面図、図３は図２の矢視Ａ−Ａ線方向の図、図４はブレードカバー固定時の本体底部の底面図、図５は図４のＢ−Ｂ線断面図、図６は図４のＣ−Ｃ線断面図、図７及び図８はブレードカバーの固定解除要領を示す本体底部の側断面図である。
【００３６】
本体２の底部の幅方向中央には、図２に示すように、矩形状の切欠き２ｂが形成されており、図３に示すように、この切欠き２ｂの一辺の近傍には矩形溝状の係止凹部２ｃが幅方向（図３の紙面垂直方向）に形成されている。又、本体２の切欠き２ｂを挟んでこれの左右両側には、図３に示すように、前記係止凹部２ｃに連なる溝部２ｄが形成されており、この溝部２ｄには、傾斜部２ｄ１と凸部２ｄ２及び平坦部２ｄ３が形成されている。
【００３７】
更に、図２及び図３に示すように、本体２底部の前記切欠き２ｂよりも前方（図２及び図３の右方）の左右両側には、前記ブレード３（図１参照）の一端部を保持するための保持部２ｅが一体に形成されている。
【００３８】
他方、ブレード３の一部を覆う前記ブレードカバー１７は、図４及び図６に示すように矩形プレート状に成形されており、その長手方向一端の幅方向中央には、本体２側の前記切欠き２ｂに嵌合する舌片状の突片１７ａが形成されており、この突片１７ａの先端部には鍵状のラッチ部１７ｂが形成され、突片１７ａの先端には横方向に延びる円柱状の軸部１７ｃが一体に形成されている。
【００３９】
又、図５に示すように、ブレードカバー１７の左右両端には上方に折り返された複数（図示例では各３つ）の係合部１７ｄが長手方向（ブレードカバー１７のスライド方向）に適当な間隔で形成されており、これら左右の係合部１７ｄが本体２側の左右に長手方向に沿って適当な間隔で形成された複数（図示例では各３つ）の係合凸部２ｆに係合することによってブレードカバー１７が長手方向にスライド可能に保持されている。
【００４０】
而して、通常、ブレードカバー１７は、図４〜図６に示すように、その一端に形成されたラッチ部１７ｂが本体２側の係止凹部２ｃに係合し、先端の軸部１７ｃが本体２側の溝部２ｄに係合するとともに、左右両端に形成された係合部１７ｄが本体２側の左右の係合凸部２ｆに係合することによって本体２の底部に固定されてブレード３の一部を覆っている。
【００４１】
そして、不図示の交換等のメンテナンのためにブレード３を本体から取り外す場合には、ブレードカバー１７の突片１７ａを図６の矢印Ｐ方向に押さえてラッチ部１７ｂの本体２側の係止凹部２ｃとの係合を解除した上で、ブレードカバー１７を図７の矢印Ｓ方向にスライドさせる。すると、ブレードカバー１７の軸部１７ｃは、本体２側の溝部２ｄに沿って摺動する。即ち、ブレードカバー１７の軸部１７ｃは、本体２側の溝部２ｄの傾斜部２ｄ１に沿って摺動して凸部２ｄ２に至るが、この軸部１７ｃが本体２側の溝部２ｄの凸部２ｄ２を通過するまでは図７に示すように本体２側の係合凸部２ｆとブレードカバー１７側の係合部１７ｄとが係合してブレードカバー１７の本体２への固定が維持される。尚、ブレードカバー１７の軸部１７ｃが溝部２ｄの凸部２ｄ２に達することにより、ブレードカバー１７をどの程度スライドさせたのかを容易に知ることができる。又、このとき、係合凸部２ｆと係合部１７ｄによりブレードカバー１７と本体２との係合が維持されているため、不用意に中途半端な位置でブレード３が外れることがない。
【００４２】
その後、ブレードカバー１７の軸部１７ｃが本体２側の溝部２ｄの凸部２ｄ２を通過すると、図８に示すように、本体２側の係合凸部２ｆとブレードカバー１７側の係合部１７ｄとの係合が外れてブレードカバー１７の本体２への固定が解除され、軸部１７ｃが本体２側の溝部２ｄの平坦部２ｄ３に沿って摺動し、該軸部１７ｃが溝部２ｄの端部に当接するまでブレードカバー１７を前方へとスライドさせることができる。
【００４３】
ここで、ブレードカバー１７の軸部１７ｃが本体２側の溝部２ｄを移動し得る距離Ｌ１に対して本体２側の係合凸部２ｄ間の距離Ｌ２を長く設定しているため（Ｌ２＞Ｌ１）、ブレードカバー１７の軸部１７ｃが本体２側の溝部２ｄの凸部２ｄ２を乗り越えた後は、ブレードカバー１７の位置に関わらず該ブレードカバー１７側の係合部１７ｄが本体２側の係合凸部２ｄに干渉することがない。従って、ブレードカバー１７を軸部１７ｃを中心として図８の矢印Ｗの方向へ回動させて開くことができ、この状態でブレード３を本体２から容易に取り外すことができる。
【００４４】
ところで、ブレード３の本体からの取り外しは、通常は本体２を上下逆にして、つまり底面を上にしてなされるが、ブレードカバー１７を前述のように開くと、ブレード３は先端側が重いために後端側が持ち上がってブレード３が落下する可能性があるが、本実施の形態では、本体２の底部に形成された左右の保持部２ｅでブレード３の後端部を保持するようにしたため、ブレード３の落下が確実に防がれる。
【００４５】
以上のように、本実施の形態では、ブレード３を本体２から取り外す際には、ブレードカバー１７のラッチ部１７ｂを押圧して該ラッチ部１７ｂの本体２側の係止凹部２ｃとの係合を解除した後、ブレードカバー１７を本体２に対してスライドさせれば、該ブレードカバー１７の軸部１７ｃが本体２側の溝部２ｄに沿って移動し、ブレードカバー１７の本体２への係止を操作性良く解除することができる。その後、ブレードカバー１７を軸部１７ｃを中心として回動させれば、該ブレードカバー１７が開くため、ブレード３を本体２から取り外して交換等のメンテナンスを行うことができる。
【００４６】
そして、ブレード３のメンテナンスが終了すると、ブレード３を本体２に組み込んだ後、ブレードカバー１７を軸部１７ｃを中心として回動させてこれを閉じた後、該ブレードカバー１７を逆方向にスライドさせると、そのラッチ部１７ｂが本体２側の係止凹部２ｃに係合して該ブレードカバー１７が本体２に再び固定される。このようにしてブレードカバー１７を本体２に対して操作性良く容易に係脱することができる。
そして、ブレードカバー１７は本体２から取り外されて本体２と切り離されることがないため、該ブレードカバー１７を紛失してしまう等の不具合が発生することがない。
【００４７】
又、本実施の形態では、本体２側の溝部２ｄに傾斜部２ｄ１と凸部２ｄ２及び平坦部２ｄ３を形成したため、ブレードカバー１７の本体２への固定を解除する際には、該ブレードカバー１７がスライドしてその軸部１７ｃが溝部２ｄの凸部２ｄ２を乗り越える際のクリック感によってユーザーはブレードカバー１７の本体２への固定解除を知ることができる。逆に、ブレードカバー１７を本体２に固定する場合には、該ブレードカバー１７の軸部１７ｃが本体２側の溝部２ｄの凸部２ｄ２を乗り越える際とラッチ部１７ｂが本体２側の係止凹部２ｃに係合する際の２段階のクリック感がユーザーに付与されるため、ユーザーはブレードカバー１７が本体２に確実に固定されたことを知ることができる。
【００４８】
更に、本実施の形態では、ブレードカバー１７が本体２に対してスライドして該ブレードカバー１７側の軸部１７ｃが本体２側の溝部２ｄの凸部２ｄ２を通過するまでは本体２側の係合凸部２ｆとブレードカバー１７側の係合部１７ｄとが係合してブレードカバー１７の本体２への固定が維持され、ブレードカバー１７側の軸部１７ｃが本体２側の溝部２ｄの凸部２ｄ２を通過すると本体２側の係合凸部２ｆとブレードカバー１７側の係合部１７ｄとの係合が外れてブレードカバー１７の本体２への固定が解除されるよう構成したため、どの位置でブレードカバー１７の本体２への固定が解除されたかが分かり、ユーザーは、ブレードカバー１７を開けてブレード３を本体２から取り外すタイミングを正確に知ることができる。
【図面の簡単な説明】
【００４９】
【図１】本発明に係る手持ち式刈込機の側断面図である。
【図２】本発明に係る手持ち式刈込機のブレードカバーを取り外して示す本体の底面図である。
【図３】図２の矢視Ａ−Ａ線方向の図である。
【図４】本発明に係る手持ち式刈込機のブレードカバー固定時の本体底部の底面図である。
【図５】図４のＢ−Ｂ線断面図である。
【図６】図４のＣ−Ｃ線断面図である。
【図７】本発明に係る手持ち式刈込機におけるブレードカバーの固定解除要領を示す本体底部の側断面図である。
【図８】本発明に係る手持ち式刈込機におけるブレードカバーの固定解除要領を示す本体底部の側断面図である。
【図９】従来の手持ち式刈込機のブレードカバー固定時の本体底部の底面図である。
【図１０】図９のＤ−Ｄ線断面図である。
【図１１】図１０のＥ−Ｅ線断面図である。
【図１２】従来の手持ち式刈込機のブレードカバー取り外し時の本体底部の底面図である。
【図１３】図１２のＦ−Ｆ線断面図である。
【符号の説明】
【００５０】
１          手持ち式刈込機
２          本体
２ａ        本体のハンドル部
２ｂ        切欠き
２ｃ        本体の係止凹部
２ｄ        本体の溝部
２ｄ１      溝部の傾斜部
２ｄ２      溝部の凸部
２ｄ３      溝部の平坦部
２ｅ        本体の保持部
２ｆ        本体の係合凸部
３          ブレード
３ａ        ブレードの上刃
３ｂ        ブレードの下刃
４          スイッチ
５          電源コード
６          電源プラグ
７          モータ
８          モータの出力軸（モータ軸）
９          ギヤ
１０，１１  軸
１２        段ギヤ
１２ａ      段ギヤの大径ギヤ
１２ｂ      段ギヤの小径ギヤ
１３        ギヤ
１４        プレート
１５        ピン
１６        シール用パッキン
１７        ブレードカバー
１７ａ      ブレードカバーの突片
１７ｂ      ブレードカバーのラッチ部
１７ｃ      ブレードカバーの軸部
１７ｄ      ブレードカバーの係合部
１８        ブレードカバーのガイド突起
【図１】
2008173047.tif 000003
【図２】
2008173047.tif 000004
【図３】
2008173047.tif 000005
【図４】
2008173047.tif 000006
【図５】
2008173047.tif 000007
【図６】
2008173047.tif 000008
【図７】
2008173047.tif 000009
【図８】
2008173047.tif 000010
【図９】
2008173047.tif 000011
【図１０】
2008173047.tif 000012
【図１１】
2008173047.tif 000013
【図１２】
2008173047.tif 000014
【図１３】
2008173047.tif 000015